(57)【要約】【課題】簡単な機構によって、光源から放射された照明光を遠距離撮影用と近距離撮影用とに切り替えることができるようにした照明装置、及びこの照明装置を備えたカメラを提供する。【解決手段】この照明装置１０は、光が伝搬する光路が環状に形成され、該光路内を伝搬する光が表面側から射出されるようにした導光部１１と、光が前記導光部１１の表面側の一部分のみから射出するように前記導光部１１の裏面側に設けられた局所反射部１２と、前記導光部１１と局所反射部１２との間で移動する光源１３とを備え、前記光源１３が前記導光部１１側に位置したときに、光源１３から出された光が前記導光部１１の光路内を伝搬することで表面側から環状に射出され、前記光源１３が前記局所反射部１２側に位置したときに、光源１３から出される光が前記局所反射部１２で反射し、導光部１１の表面側の一部分のみから集中して射出されるようにされている。【選択図】図１
2011247978.tif 000002
【特許請求の範囲】
【請求項１】
光が伝搬する光路が環状に形成され、該光路内を伝搬する光が表面側から射出されるようにした導光部と、光が前記導光部の表面側の一部分のみから射出するように前記導光部の少なくとも裏面側に設けられた局所反射部と、前記導光部と局所反射部との間で移動する光源とを備え、前記光源が前記導光部側に位置したときに、光源から出された光が前記導光部の光路内を伝搬することで表面側から環状に射出され、前記光源が前記局所反射部側に位置したときに、光源から出される光が前記局所反射部で反射し、導光部の表面側の一部分のみから集中して射出されるようにされていることを特徴とする照明装置。
【請求項２】
前記導光部には、光源が入る溝状、穴状又は分断した空間部が設けられていることを特徴とする請求項１に記載の照明装置。
【請求項３】
前記局所反射部は、導光部の裏面から一体的に膨出し、周面を曲面状又は斜面状とした膨出反射部によって設けられていることを特徴とする請求項１又は請求項２に記載の照明装置。
【請求項４】
前記局所反射部は、導光部の裏面から離れる方向に傾斜した又は撓曲した板状反射部材によって設けられていることを特徴とする請求項１又は請求項２に記載の照明装置。
【請求項５】
前記局所反射部は、請求項３に記載された膨出反射部又は請求項４に記載された板状反射部材と、前記導光部に設けられた空間部内を移動して前記光源を取り付けた可動反射部材とを備え、光源が前記空間部内に位置したときに、光源から出された光が可動反射部材の表面から前記膨出反射部又は板状反射部材に向けて反射し、さらに該膨出反射部又は板状反射部材から前記導光部の表面側の一部分に向けて反射するようにされていることを特徴とする請求項２に記載の照明装置。
【請求項６】
前記導光部は、裏面から表面までの厚さが光源側から遠ざかるにつれて薄肉となるように形成されていることを特徴とする請求項１ないし請求項５のいずれか一項に記載の照明装置。
【請求項７】
前記導光部の内周面及び／又は外周面に周面反射部材が設けられていることを特徴とする請求項１ないし請求項６のいずれか一項に記載の照明装置。
【請求項８】
前記光源は、２個のＬＥＤを反対向きに組み合わせたものであることを特徴とする請求項１ないし請求項７のいずれか一項に記載の照明装置。
【請求項９】
請求項１ないし請求項８のいずれか一項に記載の照明装置がレンズを囲むように備えられていることを特徴とするカメラ。
【発明の詳細な説明】
【技術分野】
【０００１】
本発明は、例えば写真撮影に用いられる照明装置及びこの照明装置を内蔵したカメラに関し、詳しくは、遠距離撮影用と近距離撮影用とに切り替えて照明することができるようにした照明装置及びこの照明装置を内蔵したカメラに関する。
【背景技術】
【０００２】
デジタルスチルカメラなどのカメラは、被写体に十分な光量を与えるための照明装置を一般的に内蔵している。例えば、特許文献１には、通常の遠距離撮影と近距離撮影とで光の照射状態を容易に切り替えることができるようにしたカメラが記載されている。
【０００３】
このカメラは、図２０に示すように、カメラ本体１に設けられた撮影レンズ２と、カメラ本体１に出没可能に設けられたストロボ発光部３と、このストロボ発光部３がカメラ本体１内に収納された状態で発光したストロボ光を被写体に向けて拡散する拡散手段４とを備えている。拡散手段４は、撮影レンズ２の外周部近傍に設けられた拡散部材５と、ストロボ発光部３からのストロボ光を拡散部材５に導く導光手段６とから構成されている。
【０００４】
このカメラは、ストロボ発光部３をカメラ本体１から突出させることで、遠距離のストロボ撮影ができ、ストロボ発光部３をカメラ本体１内に収納した状態でストロボ発光部３を発光させることで、近距離のストロボ撮影ができる。カメラ本体１内に収納されたストロボ発光部３は、ストロボ光が拡散手段４によって拡散して被写体を照射する。したがって、このカメラは、カメラ本体１を被写体に近づけても、被写体をほぼ均一に照明することができるようにされている。
【先行技術文献】
【特許文献】
【０００５】
【特許文献１】特開２００２−１３１８０９号公報
【発明の概要】
【発明が解決しようとする課題】
【０００６】
特許文献１に記載されたカメラは、ストロボ光を遠距離撮影と近距離撮影とに切り替えるため、ストロボ発光部３がカメラ本体１に出没できるようにされている。しかし、ストロボ発光部３をカメラ本体１に出没できるようにするには、複雑な機構が必要となり、カメラがコストアップし、また、機構部分に合せて導光手段６のスペースが必要であり、小型化が困難なものとなる。
【０００７】
そこで、本発明は、簡単な機構によって、光源から放射された照明光を遠距離撮影用と近距離撮影用とに切り替えることができるようにした照明装置、及びこの照明装置を備えたカメラを提供することを課題とする。
【課題を解決するための手段】
【０００８】
請求項１に記載された照明装置は、光が伝搬する光路が環状に形成され、該光路内を伝搬する光が表面側から射出されるようにした導光部と、光が前記導光部の表面側の一部分のみから射出するように前記導光部の少なくとも裏面側に設けられた局所反射部と、前記導光部と局所反射部との間で移動する光源とを備え、前記光源が前記導光部側に位置したときに、光源から出された光が前記導光部の光路内を伝搬することで表面側から環状に射出され、前記光源が前記局所反射部側に位置したときに、光源から出される光が前記局所反射部で反射し、導光部の表面側の一部分のみから集中して射出されるようにされていることを特徴としている。
【０００９】
この照明装置によれば、光源が導光部と局所反射部との間で移動可能とされ、導光部側に位置した光源からの光が導光部の全周に伝搬されることで、光は導光部の表面側から環状に射出され、局所反射部に位置した光源からの光が局所反射部でのみ反射することで、光は導光部の表面側の一部分からのみ集中した状態に射出される。なお、導光部の表面側の一部分からのみ集中した状態に射出される光は、導光部の表面側から環状に射出して照明される光よりも遠くまで照明することができる。
【００１０】
また、請求項２に記載された照明装置は、請求項１に記載の照明装置において、前記導光部には、光源が入る溝状、穴状又は分断した空間部が設けられていることを特徴としている。
【００１１】
この照明装置によれば、光源が入る溝状、穴状又は分断した空間部が導光部に設けられていることにより、空間部内で光源が移動することができるようにされている。光源は、空間部の奥側、すなわち、導光部の表面側に位置することで、光源からの光が導光部に向けて出され、空間部の開口側、すなわち、導光部の裏面側に位置することで、光源からの光が局所反射部に向けて出される。
【００１２】
また、請求項３に記載された照明装置は、請求項１又は請求項２に記載の照明装置において、前記局所反射部は、導光部の裏面から一体的に膨出し、周面を曲面状又は斜面状とした膨出反射部によって設けられていることを特徴としている。
【００１３】
この照明装置によれば、局所反射部が導光部の裏面から一体に膨出した膨出反射部によって設けられていることにより、導光部と局所反射部とを一体成形することができる。
【００１４】
また、請求項４に記載された照明装置は、請求項１又は請求項２に記載の照明装置において、前記局所反射部は、導光部の裏面から離れる方向に傾斜した又は撓曲した板状反射部材によって設けられていることを特徴としている。
【００１５】
この照明装置によれば、局所反射部が板状反射部材によって設けられていることにより、局所反射部と導光部とが別体とされる。なお、局所反射部と導光部との間には、空間が設けられる。
【００１６】
また、請求項５に記載された照明装置は、請求項２に記載の照明装置において、前記局所反射部は、請求項３に記載された膨出反射部又は請求項４に記載された板状反射部材と、前記導光部に設けられた空間部内を移動して前記光源を取り付けた可動反射部材とを備え、光源が前記空間部内に位置したときに、光源から出された光が可動反射部材の表面から前記膨出反射部又は板状反射部材に向けて反射し、さらに該膨出反射部又は板状反射部材から前記導光部の表面側の一部分に向けて反射するようにされていることを特徴としている。
【００１７】
この照明装置によれば、可動反射部材に取り付けられた光源から出された光は、可動反射部材の表面から反射して側方に出ていくが、可動反射部材が空間部の奥側、すなわち導光部側に位置すると、この光は導光部内を伝搬して導光部の表面から環状に射出され、可動反射部材が局所反射部の膨出反射部又は板状反射部材側に位置すると、光源から出された光が可動反射部材の表面から前記膨出反射部又は板状反射部材に向けて反射し、さらに該膨出反射部又は板状反射部材から前記導光部の表面側の一部分に向けて反射して、導光部の表面側から集中した状態に射出される。
【００１８】
また、請求項６に記載された照明装置は、請求項１ないし請求項５のいずれか一項に記載の照明装置において、前記導光部は、裏面から表面までの厚さが光源側から遠ざかるにつれて薄肉となるように形成されていることを特徴としている。
【００１９】
この照明装置によれば、導光部が光源から遠ざかるにつれて薄肉となるように形成されていることにより、光源から出されて導光部内を伝搬している光は、導光部の裏面で反射して表面から射出するようにされる。
【００２０】
また、請求項７に記載された照明装置は、請求項１ないし請求項６のいずれか一項に記載の照明装置において、前記導光部の内周面及び／又は外周面に周面反射部材が設けられていることを特徴としている。
【００２１】
この照明装置によれば、光源から導光部内を伝搬している光は、導光部の内周面及び／又は外周面に設けられた周面反射部材で反射し、導光部の内周面及び／又は外周面から射出されることなく、導光部の全周に亘って伝搬される。
【００２２】
また、請求項８に記載された照明装置は、請求項１ないし請求項７のいずれか一項に記載の照明装置において、前記光源は、２個のＬＥＤを反対向きに組み合わせたものであることを特徴としている。
【００２３】
この照明装置によれば、光源が２個のＬＥＤを反対向きに配置したものとされることにより、各１個のＬＥＤが導光部の少なくとも半周のみ伝搬されれば、光が全周に亘って伝搬される。
【００２４】
また、請求項９に記載されたカメラは、請求項１ないし請求項８のいずれか一項に記載の照明装置がレンズを囲むように備えられていることを特徴としている。
【００２５】
このカメラによれば、請求項１ないし請求項８のいずれか一項に記載の照明装置がレンズを囲むように備えられていることにより、マクロ撮影において照明するときは、導光部から環状に照明し、遠くを照明するときは、光を導光部の表面側の一部分からのみ集中した状態に射出するように切り替えて使用することができる。照明装置がレンズを囲むように備えられることにより、マクロ撮影において、影が出にくくなる。また、導光部の表面側の一部分からのみ集中した状態に射出される光は遠くまで照明することができ、通常の撮影に使用される。
【発明の効果】
【００２６】
本発明によれば、導光部の裏面側に設けた局所反射部と、導光部と局所反射部との間で移動する光源とによって、光が環状に成形された導光部から環状に射出される状態と、光が導光部の表面側の一部分のみから射出される状態とに切り替えることができるようにした照明装置を簡素化・小型化し、したがってこの照明装置を備えたカメラも小型化することができる。
【図面の簡単な説明】
【００２７】
【図１】本発明に係る照明装置の第１の実施形態を示し、（ａ）は光を環状に射出するときの表面側から見た斜視図、（ｂ）は光を集中して射出するときの表面側から見た斜視図
【図２】本発明に係る照明装置の第１の実施形態を示し、（ａ）は光を環状に射出するときの光路の概略を示す正面図、（ｂ）は光を集中して射出するときの光路の概略を示す正面図
【図３】本発明に係る照明装置の第１の実施形態の要部を示し、（ａ）は平面図、（ｂ）は正面図、（ｃ）は底面図
【図４】本発明に係る照明装置の第１の実施形態の要部を示し、（ａ）は右側面図、（ｂ）は背面図
【図５】本発明に係る照明装置の第１の実施形態を示し、（ａ）は図２（ａ）のＡ−Ａ線端面断面図、（ｂ）は図２（ｂ）のＢ−Ｂ線端面断面図
【図６】本発明に係る照明装置の第１の実施形態の変形例を示す表面側から見た斜視図
【図７】本発明に係る照明装置の第２の実施形態を示し、（ａ）は周面反射部材を備えていない状態を表面側から見た斜視図、（ｂ）は周面反射部材を備えた状態を表面側から見た斜視図
【図８】本発明に係る照明装置の第２の実施形態を示す裏面側から見た斜視図
【図９】本発明に係る照明装置の第２の実施形態を示し、（ａ）は光を環状に射出するときの光路の概略を示す正面図、（ｂ）は光を集中して射出するときの光路の概略を示す正面図
【図１０】本発明に係る照明装置の第２の実施形態の導光部を示し、（ａ）は平面図、（ｂ）は正面図、（ｃ）は底面図
【図１１】本発明に係る照明装置の第２の実施形態の導光部を示し、（ａ）は右側面図、（ｂ）は背面図
【図１２】本発明に係る照明装置の第２の実施形態を示し、（ａ）は図９（ａ）のＣ−Ｃ線端面断面図、（ｂ）は図９（ｂ）のＤ−Ｄ線端面断面図
【図１３】本発明に係る照明装置の第３の実施形態を示し、（ａ）は光を環状に射出するときの表面側から見た斜視図、（ｂ）は光を集中して射出するときの表面側から見た斜視図
【図１４】本発明に係る照明装置の第３の実施形態を示し、（ａ）は光を環状に射出するときの光路の概略を示す正面図、（ｂ）は光を集中して射出するときの光路の概略を示す正面図
【図１５】本発明に係る照明装置の第３の実施形態を示し、（ａ）は平面図、（ｂ）は正面図、（ｃ）は底面図
【図１６】本発明に係る照明装置の第３の実施形態を示し、（ａ）は右側面図、（ｂ）は背面図
【図１７】本発明に係る照明装置の第３の実施形態を示し、（ａ）は図１４（ａ）のＥ−Ｅ線端面断面図、（ｂ）は図１４（ｂ）のＦ−Ｆ線端面断面図
【図１８】本発明に係る照明装置の第３の実施形態の変形例を示し、（ａ）は光を環状に射出するときの光路の概略を示す正面図、（ｂ）は光を集中して射出するときの光路の概略を示す正面図
【図１９】本発明に係るカメラの一実施形態を示す斜視図
【図２０】従来のカメラの一例を示す正面図
【発明を実施するための形態】
【実施例１】
【００２８】
本発明に係る照明装置の第１の実施形態について図１ないし図６を参照しながら説明する。この照明装置１０は、光が伝搬する光路を環状に形成した導光部１１と、光を導光部１１の表面（図面において上面）側の一部分からのみ射出させる局所反射部１２と、導光部１１と局所反射部１２との間で移動する光源１３とを備えている。
【００２９】
導光部１１は、透明樹脂によって円環状に形成されるが、１か所に備えられた光源１３から出された光が均一に出光するように、光路内を屈折しながら一部を表面に射出し光源１３から離れた反対側まで伝搬するように、すなわち、裏面側で反射するように光源１３から遠ざかるにつれて薄肉とされている。
【００３０】
ただし、導光部１１の裏面（図面において下面）は、図示しないが、鋸歯形状や種々の形状の凹部もしくは凸部を形成し、あるいは鏡面シートを添着するなどによって反射手段がさらに設けられてもよい。なお、導光部１１は、光源１３から遠ざかるにつれて薄肉に形成しないで、反射手段のみ設けるようにしてもよい。
【００３１】
そして、導光部１１には、光源１３が入る溝状の空間部１１ａが裏面側から設けられている。空間部１１ａは、図示しないが、穴状や導光部１１を完全に分断して設けてもよい。いずれにしても、導光部１１が光源１３から遠ざかるにつれて薄肉に形成される場合は、空間部１１ａは最も厚い部位に設けられる。
【００３２】
そして、局所反射部１２は、空間部１１ａの両側において、すなわち空間部１１ａを挟むように裏面から一体的に膨出した膨出反射部によって一対設けられる。この膨出反射部の裏面（図面において下面）側は、外側に膨らんだ曲面状、あるいは、図示しないが斜面状に形成される。この局所反射部１２は、空間部１１ａの両側に一対設けられるため、各局所反射部１２の間にも空間部が設けられる状態となる。なお、局所反射部１２の周面にも前記のような反射手段を設けてもよい。
【００３３】
そして、光源１３は、２個のＬＥＤが基板１３ａの先端部の両面に固定したものとされている。基板１３ａの基端部には、図示しないが、基板１３ａを往復動させる一般的な機構が備えられ、光源１３が空間部１１ａの奥側と開口側との間を往復動するようにされている。
【００３４】
なお、第１の実施形態の照明装置１０における導光部１１及び局所反射部１２は、平面図、正面図、底面図が図３（ａ）（ｂ）（ｃ）のように示され、右側面図、背面図が図４（ａ）（ｂ）のように示される。
【００３５】
ここで、第１の実施形態の照明装置１０の照明態様について説明する。光源１３が図１（ａ）、図２（ａ）、図５（ａ）に示すように、空間部１１ａの奥側（図面において上側）に位置していると、光源１３から出た光は、導光部１１内を全周に亘って伝搬し、導光部１１の裏面で反射するなどして、導光部１１の表面側から環状に射出され、局所反射部１２で反射しないことから、集中して射出されない。
【００３６】
そして、光源１３が図１（ｂ）、図２（ｂ）、図５（ｂ）に示すように、空間部１１ａの開口側（図面において下側）に位置していると、光源１３から出た光は、局所反射部１２で反射し、導光部１１の表面側から集中して射出され、導光部１１内を伝搬しないことから環状に射出されない。
【００３７】
このように、この照明装置１０は、光源１３が空間部１１ａの奥側に位置しているか開口側に位置しているかで、光が環状に射出されたり、集中して射出されたりする。
【００３８】
なお、この照明装置１０は、図５の仮想線及び図６に示すように、導光部１１及び局所反射部１２の内周面及び外周面、又は図示しないがいずれか一方の面に、環状の周面反射部材１４，１５が設けられるようにしてもよい。この周面反射部材１４，１５によって、導光部１１及び局所反射部１２の内周面及び外周面から出て行く方向の光を内部に反射させることができる。なお、内側の周面反射部材１４と外側の周面反射部材１５とは、相似形に形成され、同じ厚さに形成されているが違う厚さでもよい。また、内側、外側、裏面の周面反射部材を一体的に形成したり、周面反射部材の変わりに金属等を蒸着させ反射膜を設けてもよい。
【実施例２】
【００３９】
本発明に係る照明装置の第２の実施形態について図７ないし図１２を参照しながら説明する。この照明装置２０は、光が伝搬する光路を環状に形成した導光部２１と、光を導光部２１の表面（図面において上面）側の一部分からのみ射出させる局所反射部２２と、導光部２１と局所反射部２２との間で移動する光源２３とを備えている。
【００４０】
導光部２１は、第１の実施形態と同様、図７（ａ）に示すように、透明樹脂によって円環状に形成されるが、１か所に備えられた光源２３から出された光が光路内を屈折しながら一部を表面に射出し光源２３から離れた反対側まで伝搬するように、すなわち、裏面（図面において下面）側で反射するように光源２３から遠ざかるにつれて薄肉とされている。
【００４１】
また、導光部２１の裏面には、鋸歯形状や種々の形状の凹部もしくは凸部を形成し、あるいは鏡面シートを添着するなど反射手段がさらに設けられてもよい。なお、導光部２１は、光源２３から遠ざかるにつれて薄肉に形成しないで、反射手段のみ設けるようにしてもよい。
【００４２】
そして、導光部２１には、光源２３が入る溝状の空間部２１ａが裏面側から設けられている。空間部２１ａは、図示しないが、穴状や導光部２１を完全に分断して設けてもよい。いずれにしても、導光部２１が光源２３から遠ざかるにつれて薄肉に形成される場合は、空間部２１ａは最も厚い部位に設けられる。
【００４３】
このような導光部２１は、平面図、正面図、底面図が図１０（ａ）（ｂ）（ｃ）のように示され、右側面図、背面図が図１１（ａ）（ｂ）のように示される。
【００４４】
そして、この空間部２１ａに入る光源２３は、第１の実施形態と同様、２個のＬＥＤが基板２３ａの先端部の両面に固定したものとされている。基板２３ａの基端部には、図示しないが、基板２３ａを往復動させる一般的な機構が備えられ、光源２３が空間部２１ａの奥側と開口側との間を往復動するようにされている。
【００４５】
そして、局所反射部２２は、第１の実施形態と異なり、導光部２１と別体に一対の板状反射部材（以下、「板状反射部材２２」とする。）によって設けられる。板状反射部材２２は、導光部２１の空間部２１ａと対向する部位で最も離間するように傾斜した直線状、又は図示しないが外側に膨らむ円弧状に形成される。また、一対の板状反射部材２２の間は、光源２３の基板２３ａが貫通するように間隔が空けられ、板状反射部材２２と導光部２１との間には空間が設けられる。
【００４６】
そして、この一対の板状反射部材２２に連続する裏面反射部材２６が導光部２１の裏面に添着されている。一対の板状反射部材２２と裏面反射部材２６とは、一体成形される。ただし、裏面反射部材２６は、一対の板状反射部材２２と別体としてもよいし、前記のような反射手段が設けられる場合は備えなくてもよい。
【００４７】
いずれにしても、図７（ｂ）に示すように、導光部２１及び局所反射部２２の内周面及び外周面には、環状の周面反射部材２４，２５が備えられる。この周面反射部材２４，２５は、局所反射部２２を設けた部位において拡幅されている。したがって、内外の周面反射部材２４，２５は、裏面側端縁において板状反射部材２２と裏面反射部材２６とを挟むようにされている。換言すれば、板状反射部材２２は、内外の周面反射部材２４，２５の拡幅部に保持された状態となる。なお、内外の周面反射部材２４，２５が板状反射部材２２と裏面反射部材２６とを挟むのではなく、板状反射部材２２と裏面反射部材２６面に反射部材の端面が当接するようにしてもよく、内側の周面反射部材２４と外側の周面反射部材２５とは、相似形とされ、同じ厚さに形成されているが違う厚さでもよい。さらに、内側、外側、裏面の周面反射部材を一体的に形成したり、周面反射部材の変わりに金属等を蒸着させ反射膜を設けてもよい。
【００４８】
ここで、第２の実施形態の照明装置２０の照明態様について説明する。光源２３が図９（ａ）、図１２（ａ）に示すように、空間部２１ａの奥側（図面において上側）に位置していると、光源２３から出た光は、導光部２１内を全周に亘って伝搬し、導光部２１の裏面で反射するなどして、導光部２１の表面側から環状に射出され、局所反射部２２で反射しないことから、集中して射出されない。
【００４９】
そして、光源２３が図９（ｂ）、図１２（ｂ）に示すように、空間部２１ａの開口側（図面において下側）に位置していると、光源２３から出た光は、板状反射部材２２で反射し、導光部２１の表面側から集中して射出され、導光部２１内を伝搬しないことから環状に射出されない。
【００５０】
このように、この照明装置２０は、光源２３が空間部２１ａの奥側に位置しているか開口側に位置しているかで、光が環状に射出されたり、集中して射出されたりする。
【実施例３】
【００５１】
本発明に係る照明装置の第３の実施形態について図１３ないし図１８を参照しながら説明する。この照明装置３０は、この照明装置３０は、光が伝搬する光路を環状に形成した導光部３１と、光を導光部３１の表面（図面において上面）側の一部分からのみ射出させる局所反射部３２と、導光部３１と局所反射部３２との間で移動する光源３３とを備えている。
【００５２】
導光部３１は、透明樹脂によってほぼ円環状に形成される。すなわち、この導光部３１には、光源３３が配置される部位において完全に分断された空間部３１ａが設けられている。なお、第３の実施形態の空間部３１ａも溝状や穴状に設けてもよい。
【００５３】
そして、この導光部３１も、１か所に備えられた光源３３から出された光が光路内を屈折しながら一部を表面に射出し光源３３から離れた反対側まで伝搬するように、すなわち、裏面（図面において下面）側で反射するように光源３３から遠ざかるにつれて薄肉とされている。
【００５４】
また、導光部３１の裏面には、鋸歯形状や種々の形状の凹部もしくは凸部を形成し、あるいは鏡面シートを添着するなど反射手段がさらに設けられてもよい。なお、導光部３１は、光源３３から遠ざかるにつれて薄肉に形成しないで、反射手段のみ設けるようにしてもよい。
【００５５】
そして、局所反射部３２は、第２の実施形態の照明装置３０に備えられたような一対の板状反射部材３２ａと、導光部３１の空間部３１ａで往復動するブロック状の可動反射部材３２ｂとを備えたものとされている。一対の板状反射部材３２ａは、導光部３１と別体とされ、空間部３１ａと連続して可動反射部材３２ｂを挟むような間隔が空けられている。また、図示した一対の板状反射部材３２ａは、外向きに膨らんだ曲面状に形成されているが、傾斜面状に形成してもよい。
【００５６】
そして、この一対の板状反射部材３２ａに連続する裏面反射部材３６が導光部３１の裏面に添着されている。一対の板状反射部材３２ａと裏面反射部材３６とは、一体成形される。ただし、裏面反射部材３６は、一対の板状反射部材３２ａと別体としてもよいし、前記のような反射手段が設けられる場合は備えなくてもよい。
【００５７】
また、可動反射部材３２ｂは、正面形状が図示しないＶ字形状又は図示したような表面側に膨らんだ一対の曲面部を形成したものとされている。そして、可動反射部材３２ｂの裏面には、光源３３として１個のＬＥＤが固定され、ＬＥＤから出される光が可動反射部材３２ｂの表面側に向かうようにされている。
【００５８】
そして、導光部３１及び局所反射部３２の内周面及び外周面には、環状の周面反射部材３４，３５が備えられる。この環状の周面反射部材３４，３５は、導光部３１の空間部３１ａを覆う部位において、局所反射部３２の可動反射部材３２ｂが往復動可能に挟む状態とし、また、局所反射部３２の板状反射部材３２ａを挟むバスタブ形状のように拡幅されている。したがって、内外の周面反射部材３４，３５は、裏面側端縁において局所反射部３２の板状反射部材３２ａと裏面反射部材３６とを挟むようにされている。なお、内外の周面反射部材３４，３５が板状反射部材３２ａと裏面反射部材３６とを挟むのではなく、板状反射部材３２ａと裏面反射部材３６の面に反射部材の端面が当接するようにしてもよく、内側の周面反射部材３４と外側の周面反射部材３５とは、相似形とされ、同じ厚さに形成されているが違う厚さでもよい。さらに、内側、外側、裏面の周面反射部材を一体的に形成したり、周面反射部材の変わりに金属等を蒸着させ反射膜を設けてもよい。
【００５９】
このような照明装置３０は、平面図、正面図、底面図が図１５（ａ）（ｂ）（ｃ）のように示され、右側面図及び背面図が図１６（ａ）（ｂ）のように示される。
【００６０】
ここで、第３の実施形態の照明装置３０の照明態様について説明する。光源３３及び局所反射部３２の可動反射部材３２ｂが図１３（ａ）、図１４（ａ）、図１７（ａ）に示すように、空間部３１ａにおいて導光部３１の表面側（図面において上側）に位置していると、光源３３から出た光は、可動反射部材３２ｂの表面で反射し、導光部３１内を全周に亘って伝搬し、導光部３１の裏面で反射するなどして、導光部３１の表面側から環状に射出され、局所反射部３２の板状反射部材３２ａに反射しないことから、集中して射出されない。
【００６１】
そして、光源３３及び局所反射部３２の可動反射部材３２ｂが図１３（ｂ）、図１４（ｂ）、図１７（ｂ）に示すように、空間部３１ａにおいて導光部３１の裏面側（図面において下側）に位置していると、光源３３からの光は、局所反射部３２の表面で反射し、局所反射部３２の板状反射部材３２ａに反射することで、導光部３１の空間部３１ａ両側の表面から集中して射出され、導光部３１内を伝搬しないことから環状に射出されない。
【００６２】
このように、この照明装置３０は、光源３３及び局所反射部３２の可動反射部材３２ｂが空間部３１ａにおいて導光部３１の表面側に位置しているか裏面側に位置しているかで、光が環状に射出されたり、集中して射出されたりする。
【００６３】
なお、第３の実施形態の照明装置３０は、図１８に示すように、局所反射部３２が板状反射部材３２ａを備えたものでなく、第１の実施形態で説明したような一対の膨出反射部３２ｃを備えたものとしてもよい。この一対の膨出反射部３２ｃ間には、導光部３１の空間部３１ａと連続する空間部が設けられる。また、膨出反射部３２ｃの外周面は、導光部３１を拡幅するように膨らんだ曲面状又は図示しない直線状の斜面とされる。
【００６４】
このような第３の実施形態における照明装置３０の変形例は、図１８（ａ）に示すように、光源３３及び局所反射部３２の可動反射部材３２ｂが空間部３１ａにおいて導光部３１の表面側（図面において上側）に位置していると、光源３３から出た光は、可動反射部材３２ｂの表面で反射し、導光部３１内を全周に亘って伝搬し、導光部３１の裏面で反射するなどして、導光部３１の表面側から環状に射出され、局所反射部３２の膨出反射部３２ｃに反射しないことから、集中して射出されない。
【００６５】
そして、図１８（ｂ）に示すように、光源３３及び局所反射部３２の可動反射部材３２ｂが空間部３１ａにおいて導光部３１の裏面側（図面において下側）に位置していると、光源３３から出た光は、局所反射部３２の表面で反射し、局所反射部３２の膨出反射部３２ｃに反射し、導光部３１の空間部３１ａ両側の表面から集中して射出され、導光部３１内を伝搬しないことから環状に射出されない。
【実施例４】
【００６６】
本発明に係るカメラの実施形態について図１９を参照しながら説明する。このカメラ４０は、第１の実施形態ないし第３の実施形態のいずれかの照明装置１０，２０，３０がレンズ４１を囲むように備えられていることを特徴としている。
【００６７】
具体的には、照明装置１０，２０，３０は、実線で示したように鏡筒４２の先端部、又は仮想線で示したように前カバー４３であって、鏡筒４２の基端部を囲むように設けられる。いずれにしても、照明装置１０，２０，３０は、導光部１１，２１，３１の表面が露出するようにされている。
【００６８】
そして、このカメラ４０は、マクロ撮影時においては、光が導光部１１，２１，３１から環状に射出される。光がレンズ４１から離れていない、すなわち、レンズ４１の周囲から射出されることにより、被写体に影が出にくいようにされている。また、遠方の被写体を照明するときは、光が局所射出部から集中して射出されるようにする。集中して射出されることにより、光は遠方まで到達する。
【００６９】
このように、このカメラ４０は、撮影状況に対応して光を射出し、被写体を照明することができるものとされている。
【００７０】
本発明は、第１ないし第４の実施形態に限定することなく種々変更することができる。例えば、光源１３，２３，３３は、ＬＥＤに限定されないし、１個のみ一方向に光が出るようにしてもよい。この場合は、導光部１１，２１，３１は、図示したような光源１３，２３，３３から最も離れた部位が薄肉に形成されるのではなく、光源１３，２３，３３が配置される部位において、光が出されない側が最も薄くなるように形成される。
【００７１】
また、導光部１１，２１，３１は、半円状のものを２個組み合わせ、各導光部１１，２１，３１に１個の光源１３，２３，３３を配置し、それぞれ、半周ずつ光が出るようにしてもよい。さらに、光源１３，２３，３３を２か所に設け、それぞれ、光が反対方向に出るようにすることで、各光が４分の１周だけ伝搬するようにしてもよい。
【００７２】
さらに、カメラ４０においては、鏡筒４２に環状の反射部材を設けることにより、照明装置１０，２０，３０には、外側の周面反射部材１５，２５，３５を設けないようにしてもよい。
【産業上の利用可能性】
【００７３】
本発明に係る照明装置は、デジタルスチルカメラを構成するものとして有効に利用することができる。
【符号の説明】
【００７４】
１０  照明装置
１１  導光部
１１ａ  空間部
１２  局所反射部
１３  光源
１４  周面反射部材
１５  周面反射部材
２０  照明装置
２１  導光部
２１ａ  空間部
２２  局所反射部（板状反射部材）
２３  光源
２４  周面反射部材
２５  周面反射部材
２６  裏面反射部材
３０  照明装置
３１  導光部
３１ａ  空間部
３２  局所反射部
３２ａ  板状反射部材
３２ｂ  可動反射部材
３２ｃ  膨出反射部
３３  光源
３４  周面反射部材
３５  周面反射部材
３６  裏面反射部材
４０  カメラ
４１  レンズ
【図１】
2011247978.tif 000003
【図２】
2011247978.tif 000004
【図３】
2011247978.tif 000005
【図４】
2011247978.tif 000006
【図５】
2011247978.tif 000007
【図６】
2011247978.tif 000008
【図７】
2011247978.tif 000009
【図８】
2011247978.tif 000010
【図９】
2011247978.tif 000011
【図１０】
2011247978.tif 000012
【図１１】
2011247978.tif 000013
【図１２】
2011247978.tif 000014
【図１３】
2011247978.tif 000015
【図１４】
2011247978.tif 000016
【図１５】
2011247978.tif 000017
【図１６】
2011247978.tif 000018
【図１７】
2011247978.tif 000019
【図１８】
2011247978.tif 000020
【図１９】
2011247978.tif 000021
【図２０】
2011247978.tif 000022
【手続補正書】
【提出日】平成23年8月9日(2011.8.9)
【手続補正１】
【補正対象書類名】特許請求の範囲
【補正対象項目名】請求項５
【補正方法】変更
【補正の内容】
【請求項５】
前記局所反射部は、導光部の裏面から一体的に膨出し、周面を曲面状又は斜面状とした膨出反射部又は導光部の裏面から離れる方向に傾斜した又は撓曲した板状反射部材と、前記導光部に設けられた空間部内を移動して前記光源を取り付けた可動反射部材とを備え、光源が前記空間部内に位置したときに、光源から出された光が可動反射部材の表面から前記膨出反射部又板状反射部材に向けて反射し、さらに該膨出反射部又は板状反射部材から前記導光部の表面側の一部分に向けて反射するようにされていることを特徴とする請求項２に記載の照明装置。
【手続補正２】
【補正対象書類名】明細書
【補正対象項目名】００１６
【補正方法】変更
【補正の内容】
【００１６】
また、請求項５に記載された照明装置は、請求項２に記載の照明装置において、前記局所反射部は、導光部の裏面から一体的に膨出し、周面を曲面状又は斜面状とした膨出反射部又は導光部の裏面から離れる方向に傾斜した又は撓曲した板状反射部材と、前記導光部に設けられた空間部内を移動して前記光源を取り付けた可動反射部材とを備え、光源が前記空間部内に位置したときに、光源から出された光が可動反射部材の表面から前記膨出反射部又は板状反射部材に向けて反射し、さらに該膨出反射部又は板状反射部材から前記導光部の表面側の一部分に向けて反射するようにされていることを特徴としている。